(57)【要約】      （修正有）【課題】縦使い若しくは横使いの書類や資料でも簡便なファイルと整然とした収納ができ、而もインデックスの明確な判別により検索が容易になしえるバインダーを提供する。【解決手段】適宜の素材よりなりその中央には所要の幅のマチ部２が設けられ、且該マチ部の両側に折合溝３が形成されたうえ、その一方側にはＡ４サイズより実質的に大きな形状と寸法の縦使いファイル部４、及び他方側には横使いファイル部５が一体的に連接形成されてなる表紙基板１と、縦使いファイル部４の上辺近傍に該上辺に沿ってリング保持具６が、更に横使いファイル部５の側辺近傍には該側辺に沿ってリング保持具６が取付けられた構造からなるバインダー。【選択図】図１
0003109339.tif 000002
【実用新案登録請求の範囲】
【請求項１】
適宜素材からなりその中央に所要の幅でマチ部が設けられ且このマチ部の両側に折合溝が形成されたうえ、その一方側にはＡ４サイズより実質的に大きな形状及び寸法の縦使いファイル部、及び他方側にはＡ４サイズより実質的に大きな形状及び寸法の横使いファイル部が一体的に連接形成されてなる表紙基板と、該表紙基板の縦使いファイル部の上辺近傍及び横使いファイル部の側辺近傍には、それぞれその上辺或いは側辺に沿って金属板材若しくは合成樹脂板材からなる取付基材に保持され、且所定間隔を以ってその頂部中央が接合及び解離しえる挿穴リングが設けられたリング保持具が取付けられた構造からなる、収納及び検索性に優れるバインダー。
【請求項２】
表紙基板の縦使いファイル部の上辺近傍及び横使いファイル部の側辺近傍には、それぞれその上辺或いは側辺に沿って、金属板材からなる基板に圧着解除レバーが設けられ、且該圧着解除レバーの操作で圧着板の圧着並びに解除が可能に構成された圧着保持具が取付けられた構造からなる、請求項１記載の収納及び検索性に優れるバインダー。
【考案の詳細な説明】
【技術分野】
【０００１】  本考案は縦使いや横使いによる書類や資料等でも同一のバインダーに綴り込め、以って収納性と検索性を著しく高められるバインダーに関する。
【背景技術】
【０００２】  産業活動においても生活活動においても、その思考や行動には極めて膨大量の情報及び知識が関与するもので、該思考や行動が日常的な場合には頭脳内の情報や知識が無意識のうちに作用し判断がなされている。【０００３】  他方産業活動においては非日常的思考や行動も多々要請され、これがためには極めて膨大量の非日常的情報や知識或いは専門的情報や知識が必要とされ、且これら情報や知識を必要時に有効に活用するうえからは、簡便な整理収納と且容易に検索できることが不可欠となる。【０００４】  ところで情報や知識の保存は、作成書類や領布される印刷物、各種書籍類のコピー自体のファイルの他、マイクロフィルムや磁気テープ等による方法が挙げられるが、実務的な情報や知識は使用頻度も高く即時に有効活用するうえからは、ファイルによる方法が多用されている。【０００５】  そして専門技術情報や知識等は、領布される印刷物や資料自体により若しくは専門書籍からのコピー等が極めて多く、且領布される印刷物や資料等は縦使いや横使い等に加えて領布される印刷物や資料自体はもとより、専門技術書等でもＡ５サイズの如き小さなものからＡ３サイズに亘る大きなものまで極めて多種多様で、これらのコピー類も当然に多種多様なサイズのものとなることから、従来では適宜大きさに折合のうえ加圧挟着金具がその上辺に取付けられたバインダー、若しくは側辺に取付けられたバインダーを用いて挟着させファイルがなされていた。【０００６】  而して近年に至り公文書類を初め産業活動において作成使用する文書類の規格統一化、所謂Ａ４サイズへの移行が図られつつあるが、産業活動に係る文書類は極めて多種且広範囲に亘るものであって、一般文書や報告書等は縦使い横書きで、且専門技術書等も通常は縦使い横書きが多く、従って図４に示すように縦使いバインダーＡに取付けられてなる加圧挟着具ｄに挟着しファイルさせ、更に横使いのバインダーＢにおいてはその内面中央近傍に取付けられてなる加圧挟着具ｄに挟着させファイルのうえ、図６に示すように収納棚Ｃに収納させた場合には、表紙基板ａの中央に設けたマチ部ｂの表面にファイル内容のインデックスｃを表記することで即時に判別ができ検索が容易になされ、而も収納棚Ｃの長さや奥行きを該バインダーＡの寸法に合せて形成しておくことで整然と収納がなされる。【０００７】  他方各種の企画書や提案書等にはフロー図も多用され、更に予算表や実績表或いは集計表等も長期間毎の推移を記載し且対比検討がなされるものでは横使い横書きのフォーマットが好都合で、これがためこれら横使い横書きの企画書等は、図５に示すように横長形状のバインダーＢの表紙基板ａの中央のマチ部ｂの近傍に取付けられた加圧挟着具ｄで挟着しファイルされたうえ、収納棚Ｃに収納される。【０００８】  然るにかかる横長形状のバインダーＢを収納させた場合、収納棚Ｃの高さが仮りに縦使いで縦長のバインダーＡに適合されて形成されてなる場合には、図６のイに示される如く整然と収納させるには、表紙板材ａの中央マチ部ｂの表面にファイル内容を表示したインデックスｃ面が収納棚Ｃの天井面若しくは底面と接するように収納され、使用に際して判別や検索が出来ずバインダーＢをいちいち抜き出し���別且検索をせねばならず多大な労力と時間が強いられる。【０００９】  そして該バインダーＢの判別を容易とするためインデックスｃ面を露出させる収納には、図６のウに示すように収納棚Ｃより突出する状態となり雑然とした収納態様となる。従って該バインダーＢの整然とした収納には収納棚Ｃの奥行きを十分な長さを以って形成せねばならず、結果的に事務所若しくは職場のスペースを圧迫することとなる。
加えて大きな問題は、縦使いのバインダーＡと横使いのバインダーＢとを使用する現状のファイリングでは、同一の範疇の書類や資料を区分し且別々のバインダーにファイルすることとなり、バインダーも多数に昇りコストの上昇とともに判別や検索も頻雑となり、更には大きな収納スペースも要請される問題を抱えている。
【考案の開示】
【考案が解決しようとする課題】
【００１０】  本考案はかかる問題に鑑みなされたものであって、本考案は縦使い若しくは横使いの書類や資料でも、簡便なファイルと且整然とした収納ができ、而もインデックスの明確な判別と検索が容易になしえるバインダーを提供することにある。
【課題を解決するための手段】
【００１１】  上述の課題を解決するために本考案が用いた技術的手段は、適宜素材からなりその中央には縦使い及び横使いの書類や資料を包被保護してファイルがなされるよう所要の幅を以ってマチ部を設けたうえ、このマチ部の両側には該マチ部と一体的に連接して且その形状及び寸法がＡ４サイズより実質的に大きな縦使いファイル部及び横使いファイル部が設けられ、而もファイルされる縦使いの書類や資料及び横使いの書類や資料が縦使いファイル部及び横使いファイル部相互の折合により包被保護されるよう、マチ部の両側には折合溝が加圧形成され表紙基板が形成されている。【００１２】  そして一方の縦使いファイル部の内側上辺近傍に沿って長期に亘りファイルされる書類や資料を安定した状態でファイルさせるため、金属板材若しくは合成樹脂板材からなる取付け基材に保持され且その直径がマチ部の幅以内で而もその頂部中央で相互が接合及び解離できる挿穴リングが所定間隔で配設されたリング保持具が取付けられ、更に他方の横使いファイル部の内側側辺近傍にも該側辺に沿ってリング保持具が取付けられた構造に存する。【００１３】  加えてファイルされる縦使い横書きの書類や資料、或いは横使い横書きの書類や資料の絶対量が少ない場合及び頻繁に検索されファイルの利用がなされる場合では、リング保持具に代えて、より簡便なファイルが可能なよう圧着保持具を取付けてなる構造に存する。
【考案の効果】
【００１４】  本考案は以上の如き技術手段を用いてなるもので、適宜素材からなりその中央に所要の幅のマチ部が設けられ且該マチ部の両側に折合溝が形成されたうえ、その一方側には実質的にＡ４サイズより大きな形状寸法の縦使いファイル部及び他方側には横使いファイル部が一体的に折合可能なように表紙基板が形成されたうえ、縦使いファイル部の内側上辺近傍に沿って、リング保持具若しくは圧着保持具が配位取付けられ、更に横使いファイル部の内側側辺近傍にも該側辺に沿ってリング保持具若しくは圧着保持具が配位取付けられた構造のため、Ａ４サイズの縦使いによる書類や資料も横使いによる書類や資料もバインダーを分けることなく本考案のバインダー内にファイルがなしえる。【００１５】  そして本考案においては縦使いの書類や資料及び横使いの書類や資料がファイルされ収納棚や収納ボックス等に収納される場合にも表紙基板のマチ部表側に所要のインデックスを加記することで、該インデックスが外面に配位され収納されるため、必要時に即時に判別し検索ができることとなり、而も本考案は大きさや形状が同一であるから同一の収納棚若しくは収納ボックスに整然と収納がなしえる。加えてリング保持具を用いた場合には、膨大量の書類や資料も確実且安定した形態でファイル保存が可能となる。
【考案を実施するための最良の形態】
【００１６】  適宜素材からなりその中央に所要の幅でマチ部を設け且このマチ部両側には折合溝が形成されたうえ、該マチ部と一体的に連続してその形状及び寸法がＡ４サイズより実質的に大きな縦使いファイル部及び横使いファイル部を有する表紙基板の縦使いファイル部の内側上辺近傍に沿ってリング保持具が取付けられ、更に横使いファイル部の内側側辺近傍に沿ってリング保持具が取付けられた構造。
【実施例１】
【００１７】  以下に本考案実施例を図とともに説明すれば、図１は本考案の見取図であって表紙基板１はファイリングされる文書や資料等を折り合せのうえ包被保護させるもので、ファイリングされる文書や資料等のファイリング量の多少により使用する素材も適宜に選択使用されるもので、ファイリング量が比較的少なく軽量な場合には厚紙やポリエチレン若しくはポリプロピレン等の合成樹脂シート材が好適であり、ファイリング量が多く多重な場合には樹脂加工紙や織物若しくは合成樹脂ラミネート加工紙等が望ましい。【００１８】  そしてこの表紙基板１の中央には所要の幅を以ってマチ部２が設けられてなるもので、該マチ部２はファイリング量によりその幅も適宜に決定されるが比較的多量にファイルされるものでは略４０乃至６０ｍｍ程度に、ファイル量が比較的少ないものでは略２０乃至３０ｍｍ程度が目途となる。【００１９】  更にこのマチ部２の両側には折合溝３が形成されてなるもので、該折合溝３はマチ部２と一体的に連接形成され、且その形状及び寸法がＡ４サイズより実質的に大きな縦使いファイル部４及び横使いファイル部５を相互に折り合せて、ファイルされる書類や資料を包被保護させるために、表紙基板１を折合しやすくするためのもので該表紙基板１に線状に加圧した加工溝状に形成される。この折合溝３は表紙基板１が比較的薄いものであれば一条でも十分に折合がなしえるが表紙基板１が比較的厚く且硬い素材が用いられる場合では二条若しくは三条の折合溝３の形成が望まれる。【００２０】  マチ部２の両側に折合溝３を介して一体的に連接形成される縦使いファイル部４及び横使いファイル部５は、ファイルされる書類や資料の端縁がはみ出し汚損されることがないよう実質的にＡ４サイズより大きな形状及び寸法で形成されるもので、上辺の長さとしては略２５乃至２６ｃｍ程度並びに側辺の長さとしては略３１乃至３２ｃｍ程度が望まれる。【００２１】  そして縦使いファイル部４及び横使いファイル部５は、マチ部２の左右いづれの側面に配位させても特段に問題はなく、且この縦使いファイル部４と横使いファイル部５との区分は、主に縦使い横書きによる書類や資料をその縦使いファイル部４の上辺近傍にファイルさせるためのリング保持具６が該上辺に沿って配位取付けられた構成である場合を示し、更に横使いファイル部５とは主に横使い横書きによる書類や資料等をその側辺近傍に沿ってファイルさせるためのリング保持具６が、該側辺に沿って配位取付けられた構成の場合とにより区分される。【００２２】  かくして縦使いファイル部４及び横使いファイル部５を構成させるために取付けられるリング保持具６には特段の制約は無いが、ファイルされる書類や資料が多量にファイルされる場合には当然に多重ともなり、これらファイルされる書類や資料等を確実に且安定した状態で長期に亘って保存させるうえからは、図２のＡに示す如きリング保持具６が望まれる。【００２３】  このリング保持具６は、金属板材や合成樹脂板材等からなる取付基材６Ａに所定の間隔即ち通常においては書類や資料等のファイルのために穿孔させる穿孔パンチの穿孔間隔に対応する間隔を以ってその頂部中央６Ｂが接合及び解離しえる挿穴リング６Ｃが設けられた構成���ものであって、縦使いファイル部４においてはその上辺近傍に沿って該リング保持具６の取付基板６Ａをハトメ６Ｄ等により表紙基板１と取付固定される。【００２４】  更に横使いファイル部５においては、該リング保持具６の取付基材６Ａを横使いファイル部５の側辺近傍に該側辺に沿って同様にハトメ６Ｄ等を用いて表紙基板１と取付固定させて本考案品７が形成される。
そして本考案品７にファイルされた書類や資料等の判別のためのインデックスは、表紙基板１のマチ部２の表面の余白部分が利用されることは当然である。【００２５】  加えてファイルされる書類や資料の絶対量が少なくファイル量も軽量な場合や、或いは頻繁にファイルされた書類や資料の検索と利用がなされる場合では、迅速且簡便にファイルの可能なものが要請されることから、図２のＢに示すようにリング保持具６に代えて圧着保持具６０が有利であって、該圧着保持具６０は強靭な金属板材等を用いてなる基板６０Ａに圧着解除レバー６０Ｂが設けられたうえ、該圧着解除レバー６０Ｂの操作により書類や資料等を圧着保持させるための所要の長さの圧着板６０Ｃが圧着並びに解除されるよう構成されてなるもので、縦使いファイル部４に用いる場合にはその上辺近傍にその上辺に沿って基板６０と表紙基板１とをハトメ６Ｄ等で取付固定し、横使いファイル部５においてはその側辺近傍に該側辺に沿って基板６０をハトメ６Ｄ等を用い表紙基板１と取付固定させるものである。【００２６】  そして留意すべきことは、縦使い横書きや横使い横書き等による書類や資料を可能な限り本考案品７の一つのバインダー内にファイルさせることが望ましく、且ファイルのなされた本考案品７は図３に示すように収納棚８若しくは収納ボックス（図示せず）に収納され保管がなされるものであるから、十分なファイル量と整然とした収納がなされる必要がある。
これがためにはリング保持具６における挿穴リング６Ａの直径或いは圧着保持具６０における基板６０Ａと圧着板６０Ｃとの最大幅は、表紙基板１に形成されるマチ部２の幅以内の該マチ部２の幅に近い直径若しくは幅のものを使用することが好適である。【００２７】  かかる如き構成からなる本考案品７に、所要の書類や資料をその縦使いファイル部４や横使いファイル部５にファイルさせたる後、縦使いファイル部４及び横使いファイル部５相互を折り合わせたえうえ、図３に示す収納棚８に収納させることにより、それぞれの書類や資料がファイルされた本考案品７は整然と収納されることとなり、而もマチ部２の表面にはファイルされる書類や資料のインデックスが加記されることにより、即時に判別され必要な書類や資料の検索と利用がなされる。
【産業上の利用可能性】
【００２８】  Ａ４サイズによる書類や資料においては、現状の事務機器や備品等を変えることなく即時に実用使用できる。
【図面の簡単な説明】
【００２９】
【図１】  本考案品の見取図である。
【図２】  本考案品に用いる保持具の説明図である。
【図３】  本考案品の収納状態を示す態様図である。
【図４】  従来の縦使いバインダーの説明図である。
【図５】  従来の横使いバインダーの説明図である。
【図６】  従来のバインダーによる収納状態の説明図である。
【符号の説明】
【００３０】    １    表紙基板
２    マチ部
３    折合溝
４    縦使いファイル部
５    横使いファイル部
６    リング保持具
６Ａ  取付基材
６Ｂ  頂部中央
６Ｃ  挿穴リング
６Ｄ  ハトメ
６０    圧着保持具
６０Ａ  基板
６０Ｂ  圧着解除レバー
６０Ｃ  圧着板
７    本考案品
８    収納棚
【図１】
0003109339.tif 000003
【図２】
0003109339.tif 000004
【図３】
0003109339.tif 000005
【図４】
0003109339.tif 000006
【図５】
0003109339.tif 000007
【図６】
0003109339.tif 000008